Podtech/llm-jp-corpus-v4-ja_patent huggingface dataset:
(57)【要約】      （修正有）【課題】温度が上昇することにより塑性流動が起こりやすくなる性質を積極的に利用するため，溶接部材を加熱して，溶接速度や品質を向上しようとするものである。【解決手段】摩擦攪拌溶接時に，溶接部材を加熱して，塑性流動を常温時より容易に起こさせる。【選択図】図２
2007190606.tif 000002
【特許請求の範囲】
【請求項１】
溶接部材を加熱する装置を有し，保温のための被覆材を設置し，摩擦攪拌接合するためのネジを持つツールの近傍に，加熱時の熱が装置上部構造に伝達されないための冷却装置を持つ，摩擦攪拌溶接装置．
【請求項２】
溶接部材をヒーター，レーザー照射，赤外線照射，プラズマアーク，電子ビーム照射，通電によるジュール熱の付与，その他の適当な方法による加熱源を利用して，溶接部が，摩擦攪拌溶接時の機械的な摩擦攪拌による温度上昇を考慮して，溶接部分の温度が適切な温度になるように加熱して行なう，摩擦攪拌溶接方法．
【発明の詳細な説明】
【技術分野】
【０００１】二つ以上の部材を溶接・接合する技術
【背景技術】
【０００２】摩擦攪拌溶接は１９９１年に英国の溶接研究所において開発された固相接合である
【特許文献１】．その原理は，例えば図１に示すように二つの材料（以下溶接部材とする）を付き合わせて，常温にて，その部分にネジ状のツールを回転させながら加圧して押し込み，溶接方向に移動させることにより，両溶接部材の溶接部分は多少の温度上昇をともないながら塑性流動を起こさせ，溶接部材を攪拌して溶接する技術である．
【特許文献１】日本国特許「特許番号：第２７１２８３８号」
【発明が解決しょうとする課題】
【０００３】［０００２］において述べた発明は常温にて摩擦攪拌溶接を達成しょうとする技術であり，材料の塑性流動に関する知見，すなわち，一般に材料は温度が上昇することにより塑性流動が起こりやすくなる事実を充分に活かされていない．本発明はこの温度が上昇することにより塑性流動が起こりやすくなる性質を積極的に利用するため，溶接部材を加熱して，溶接速度や品質を向上しょうとするものである．
【課題を解決するための手段】
【０００４】溶接部材をヒーターなどの適当な加熱装置を用いて，機械的な摩擦攪拌時の温度上昇を考慮して，溶接部分の温度が適当な温度になるように加熱して摩擦攪拌溶接を行なうものである．
【発明の効果】
【０００５】溶接部材を加熱することにより，溶接部分の塑性流動が起こり易くなり，溶接部の摩擦攪拌効果が促進されると同時に摩擦攪拌される領域が溶接方向に前進することを容易にすることが出来る．したがって，溶接速度とその部分の溶接品質を向上出来る効果がある．
【発明を実施するための最良の形態】
【０００６】突き合わせ溶接を行なう場合は，二つの溶接部材を固定し，溶接部材を下部または上部など周辺部をヒーターなどの適当な熱源により加熱するか，レーザーなどにより溶接部周辺部の温度を上昇させ，溶接部材またはネジを設けた回転ツールを溶接方向に移動し，摩擦攪拌部を溶接方向に移動させて溶接を達成する．
【実施例１】
【０００７】図２は，上記［０００６］において最良の形態を装置化した一例である．
【実施例２】
【０００８】図３は，［０００７］に示した装置を用いて，アルミニウム合金を摩擦攪拌溶接した結果の一例を示したものであり，縦軸に溶接速度を，横軸にツール回転速度をとり，試験温度が常温，１５０℃および３００℃における健全な溶接部を得られたもの，不健全な溶接部が得られたものを記号で示したものである．図に見るように従来の常温における摩擦攪拌溶接法による結果と本発明を適用した結果では，３００℃の加熱した場合溶接速度において約３．０倍の効果が得られていることがわかる．
【産業上の利用可能性】
【０００９】現在多くの産業分野において利用され，製品の製造に活用されている，従来の常温における摩擦攪拌溶接装置に加熱装置を付加することにより，容易に実施できる方法であるため，多くの産業分野において利用される可能性は充分ある．
【図面の簡単な説明】
【００１０】
【図１】常温に於ける摩擦攪拌溶接の原理図
【図２】加熱摩擦攪拌溶接装置の一例
【図３】アルミニウム合金を常温ならびに加熱摩擦攪拌溶接した結果の一例
【符号の説明】
【００１１】１  ツール
２  溶接部材
４  接合装置
５  冷却装置
６  ヒーター
【図１】
2007190606.tif 000003
【図２】
2007190606.tif 000004
【図３】
2007190606.tif 000005
(57)【要約】【課題】新聞とは各ページがばらばらになっていて非常に読み辛い。各種車輌や飛行機等機内の狭い空間で読む場合は、更に読みにくく扱い辛い。【解決手段】新聞の中心部より図１の１のアクリル板の細い棒部分を内部に差し込み、新聞の外側の背部分より図３の５ａの如く板を止められるようにした。また新聞の中心部上部より、内部に差し込む時に内部と外部の挟み板がスムーズに開かないため、挟み板の先端部分に三角状のガイドコマを取り付け、なおかつ開閉出来る様にした。また紐状のものにクリップを２〜３個通して且つそのクリップは固定せず、紐上を自由に動かせる事とした。【選択図】図３
2007190881.tif 000002
【特許請求の範囲】
【請求項１】
細い板状の物にクリップ等を付けた事を特徴とする新聞クリップ。
【請求項２】
前記新聞クリップは、中軸となる板状の物に数量を限定しない複数個のクリップを棒に接続された紐に移動できる状態につなげた事を特徴とする新聞クリップ。
【発明の詳細な説明】
【技術分野】
【０００１】
この発明は、新聞を見開き時および折り畳み時にも固定させ、散乱する事を防止する器具である。
【背景技術】
【０００２】
通常、新聞の形状とは、折り綴じられているのみであり、製本化されていないため背部分で止めておらず、各頁がばらばらになっている。
【特許文献１】特開２００２−１２７６５２号公報
【特許文献２】特開２０００−１１８１８３号公報
【特許文献３】特開２００５−１４４７８９号公報
【発明の開示】
【発明が解決しようとする課題】
【０００３】
通常、新聞とは各ページがばらばらになっていて非常に読み辛い。各種車輌や飛行機等機内の狭い空間で読む場合は、更に読みにくく扱い辛い。そこで本発明は、どのような状況下でも新聞を扱い易くかつ読み易くする事を課題とする。
【課題を解決するための手段】
【０００４】
新聞の中心部より図１の１の部分を内部に差し込み、新聞の外側の背部分より図３の５ａの如く板を止められるよう第一発明した。
【０００５】
新聞の中心部上部より、内部に差し込む時に内部と外部の挟み板がスムーズに開かない課題がある。以上の課題を解決するために挟み板の先端部分に三角状のガイドコマを取り付け、なおかつ開閉出来る様に第二発明した。
【０００６】
また第三発明として、紐状のものにクリップを２〜３個通して且つそのクリップは固定せず、紐上を自由に動かせる事とした。
【発明の効果】
【０００７】
第一発明、第二発明、第三発明によれば、新聞の各ページがばらばらにならず、各種車輌や飛行機等機内の狭い空間で読む場合にも新聞が扱い易くかつ読み易い。
【発明を実施するための最良の形態】
【０００８】
この発明の一実施形態を図３に示す。新聞の中心部より図１の１の部分を内部に差し込み、新聞の外側の背部分より図３の５ａの如く板を止める。
【０００９】
「実施形態の効果」
新聞を読む時は背部分をホッチキス等で止める方法もあったが、この場合、リサイクル時に金具が入るため回収されず、またひとつひとつ除去する場合は労を要する事となるが、本発明は、取り外し、持ち運びが自由で、コンパクトであるので、ボールペンの様に胸のポケット等に携帯して持ち運びが可能である。
【図面の簡単な説明】
【００１０】
【図１】この発明の正面図である。
【図２】この発明の側面図である。
【図３】この発明の一実施形態を示す斜視図である。
【符号の説明】
【００１１】
１    アクリル等の細い板
２    開閉出来る挟み板
２´  開いた状態の挟み板
３    紐取り付け穴
４    紐
５ａ  紐線の中で自由に動かせるクリップ１
５ｂ  紐線の中で自由に動かせるクリップ２
５ｃ  紐線の中で自由に動かせるクリップ３
６    挟みガイドコマ
７    挟みガイド固定コマ
８    新聞の中心折り部分
９    新聞紙
【図１】
2007190881.tif 000003
【図２】
2007190881.tif 000004
【図３】
2007190881.tif 000005
(57)【要約】【課題】書籍などに巻かれている帯紙に、罫線や無地などを設け、一筆箋やポストカードのように個人がメッセージを帯紙に直接かきこめるようにする書籍帯を提供する。【解決手段】帯紙に、罫線や無地などを設け、一筆箋やポストカードのように個人がメッセージをかける帯紙にすることで、書籍を贈り物にする祭、書籍以外に一筆箋やポストカードなどを購入、用意する費用と時間をなくすことを特微とする書籍帯。【選択図】図１
2007190898.tif 000002
【特許請求の範囲】
【請求項１】
帯紙に罫線や無地などを設け、一筆箋やポストカードのように個人が自由にメッセージを帯紙に、かきこめることを特微とする書籍帯。
【発明の詳細な説明】
【技術分野】
【０００１】  本発明は、書籍などに巻かれている帯紙に、罫線や無地などを設け、一筆箋やポストカードのように個人がメッセージを帯紙に直接かきこめるようにする書籍帯に関するものである。
【背景技術】
【０００２】  従来、書籍などに巻かれている帯紙は広告や宣伝のためだけに、利用されている。
【発明の開示】
【発明が解決しょうとする課題】
【０００３】  そのために、次のような間題点があった。
書籍を贈り物として購入する祭、一筆箋やポストカードなどを使って、メッセージをかきそえ、贈ることが多くあり、そのため書籍以外に一筆箋やポストカードなどを、購入、用意する必要があり、費用と時間が掛かっていた。
本発明は、これらの間題点を解決しょうとするものである。
【課題を解決するための手段】
【０００４】  帯紙に罫線や無地などを設け、一筆箋やポストカードのように個人がメッセージをかける帯紙にすることで、書籍などを贈り物にする祭、書籍以外に一筆箋やポストカードなどを購入、用意する費用と時間をなくす。以上を特微とする書籍帯である。
【発明の効果】
【０００５】  本発明は、書籍などに巻かれている帯紙を、一筆箋やポストカードのように利用できる。それによって書籍を贈り物にする時など、一筆箋やポストカードを購入、用意する必要がない。また、一目見て贈り物に最的な書籍だと読者にアピールできるため、出版社は書籍を贈り物としてアピールするポスター広告などの宣伝費を抑えることができる。
【発明を実施するための最良の形態】
【０００６】  以下、本発明の実施の形態について説明する。
書籍カバー（６）の表１に巻かれる帯紙の表１（１）、書籍カバー（６）の背に巻かれる帯紙の背（２）、書籍カバー（６）の表１の見返しに巻かれる帯紙の表１の見返し（３）、書籍カバー（６）の表４に巻かれる帯紙の表４（４）、書籍カバー（６）の表４の見返しに巻かれる帯紙の表４（５）。
本発明は、以上、書籍カバーに巻かれる帯紙の５箇所を利用して罫線や無地などを設け、個人がメッセージをかきこめるようにする。（例えば絵本のような大き目の書籍に対しては、帯紙の１箇所だけに罫線を設ける。また、文庫本のような小さ目の書籍に対しては、帯紙の５箇所全てに罫線を設け、５箇所全てにメッセージを書けるようにする。コミックなどの書籍には、帯紙の一部にフキダシを設け、フキダシの中を無地にしてメッセージを書けるようにする。）その他、単庫本、地図、画集、詩集、写真集など、それぞれの書籍に合わせた帯紙にするのである。
本発明の実施の形態では罫線と無地を利用した例で説明したが、一筆箋の用紙やメッセージカードなどが入った封筒やポケットを帯紙に設けても同様の効果がある。
【図面の簡単な説明】
【０００７】
【図１】本発明の平面展開図
【符号の説明】
【０００８】１  帯紙の表１
２  帯紙の背
３  帯紙の表１の見返し
４  帯紙の表４
５  帯紙の表４の見返し
６  書籍カバー
【図１】
2007190898.tif 000003
(57)【要約】      （修正有）【課題】従来の容器は総ステンレスよる製造方法で器具に機能性を持たせたものであったが、製造価格が高価であり、また全重量が重くなっていた。【解決手段】器具の本体にＰＰポリプロピレンパイプ製または、ＰＥポリエチレンパイプ製または、アクリル樹脂パイプ製または、ＰＶ塩化ビニールパイプを使用し、器具の内側に板厚１ｍｍから０．３ｍｍのステンレス板（材質・ＳＵＳ３０４、ＳＵＳ３１６、ＳＵＳ６３０）を筒状のものをセットすることで、製造価格を安価にでき、総重量を軽くすることができた。【選択図】  図１
2007190540.tif 000002
【特許請求の範囲】
【請求項１】
水道水を活水に変化させる器具を成型する容器：ＰＰポリプロピレンパイプ、ＰＥポリエチレンパイプ、アクリル樹脂パイプ、塩化ビニールパイプの内側に沿って、活水機能を高める為に、ステンレス板（板厚０．０５ｍｍから０．２ｍｍ）を筒上にセットしたものからなる水道水活水器具である。
【請求項２】
水道水を浄水に変化させる器具を成型する容器：ＰＰポリプロピレンパイプ、ＰＥポリエチレンパイプ、アクリル樹脂パイプ、塩化ビニールパイプの内側に沿って、活水機能を高める為に、ステンレス板（板厚０．０５ｍｍから０．２ｍｍ）を筒上にセットしたものからなる水道水浄水器具である。
【発明の詳細な説明】
【技術分野】
【０００１】  この発明は、活水器、浄水器の機能性、製造価格に関する。
【背景技術】
【０００２】  従来の活水器、浄水器の機能性を持たせる為には、ステンレス製の容器を使用していた。また、活水器、浄水器に機能性を持たせようとする場合、容器はステンレス製でなければ成らず、その製造価格は高価となっていた。
この器具の機能性とは、水道水を使用するため、容器が錆びないものでなければならない。また、活水機能を高める為には、水道水が配管を通る水圧を微力な電気を起こす為のセラミックを使用するが、このセラミックは金属と接触していなければ、電気を起こさないものが一般的である。
【発明の開示】
【発明が解決しようとする課題】
【０００３】しかしながら、以上の技術によれば、従来の活水器、浄水器の容器は錆びないステンレス製で容器全体を製作しなければならなかった。
そこで、この発明は、ＰＰポリプロピレンパイプ、ＰＥポリエチレンパイプ、アクリル樹脂パイプ、ＰＶ塩化ビニールパイプの内側に沿って薄い板圧のステンレス板をパイプ状にして入れ込むことにより、ステンレス製の容器より安価に製作することができる活水器・浄水器を提供することを課題とする。
【課題を解決するための手段】
【０００４】  以上の課題を解決するために、第一発明は、活水器具の内側に薄いステンレス板を筒状にして、ＰＰポリプロピレンパイプ、ＰＥポリエチレンパイプ、アクリル樹脂パイプ、塩化ビニールパイプの内側に沿ってＰＰポリプロピレンパイプ、ＰＥポリエチレンパイプ、アクリル樹脂パイプ、ＰＶ塩化ビニールパイプの内側に沿って貼り付けた活水器具である。
また、第二発明は、浄水器具の内側に薄いステンレス板を筒状にして、ＰＰポリプロピレンパイプ、ＰＥポリエチレンパイプ、アクリル樹脂パイプ、ＰＶ塩化ビニールパイプの内側に沿ってＰＰポリプロピレンパイプ、ＰＥポリエチレンパイプ、アクリル樹脂パイプ、ＰＶ塩化ビニールパイプの内側に沿って貼り付けた浄水器具である。
【発明の効果】
【０００５】  第一発明、または第二発明によれば、活水・浄水器具は容器全体がステンレス製のものと比較して、安価に製造でき、機能性を持った活水・浄水器具を製造できる。
【発明を実施するための最良の形態】
【０００６】  この発明の一実施形態は活水・浄水器具の本体はＰＰポリプロピレンパイプ製または、ＰＥポリエチレンパイプ製または、アクリル樹脂パイプ製または、ＰＶ塩化ビニールパイプ製であり、この本体の内側に板厚０．１ｍｍから０．３ｍｍのステンレス板を筒状にして貼り付けた容器である。【０００７】「実施形態の効果」
この実施形態によれば、機能性素材・電気を起こすセラミックの働きで、０．０６ｍｖ電流を測定した。
その結果、活水・浄水器具の機能性を持たすことができた。
【図面の簡単な説明】
【０００９】
【図１】この発明の一実施形態を示す斜視図である。
【図２】従来技術を示す斜視図である。
【符号の説明】
【００１０】１  活水・浄水器具
２  本体がＰＰポリプロピレンパイプ製またはＰＥポリエチレンパイプ製または、アクリル樹脂パイプ製または、ＰＶ塩化ビニールパイプ製活水・浄水器具
３  板厚０．１ｍｍから０．３ｍｍのステンレス板（材質・ＳＵＳ３０４、ＳＵＳ３１６、ＳＵＳ６３０）
【図１】
2007190540.tif 000003
【図２】
2007190540.tif 000004
(57)【要約】    【課題】  量産に適する脱臭機能付きのマットレスを提供すること。    【解決手段】  多数のコイルスプリング５を連結してスプリングユニット２を構成し、スプリングユニット２を外装体３により被覆してなるマットレス１において、コイルスプリング５の表面に脱臭剤が印加（例えば、液体脱臭剤９が塗布）される構成としたこと。【選択図】  図２
2007190184.tif 000002
【特許請求の範囲】
【請求項１】
多数のコイルスプリングを連結してスプリングユニットを構成し、該スプリングユニットを外装体により被覆してなるマットレスにおいて、
前記コイルスプリングの表面に脱臭剤が印加されることを特徴とするマットレス。
【請求項２】
前記脱臭剤の前記コイルスプリングの表面への印加は、液体脱臭剤の前記コイルスプリングの表面への塗布である、請求項１記載のマットレス。
【請求項３】
前記脱臭剤の前記コイルスプリングの表面への印加は、固体脱臭剤の前記コイルスプリングの表面への固着である、請求項１記載のマットレス。
【請求項４】
前記固体脱臭剤は、粉体状の脱臭剤である、請求項３記載のマットレス。
【請求項５】
多数のコイルスプリングを連結してスプリングユニットを構成し、該スプリングユニットを外装体により被覆してなるマットレスにおいて、
前記コイルスプリングを封入するためのポケットに液体脱臭剤が脱臭剤が印加されることを特徴とするマットレス。
【請求項６】
前記脱臭剤の前記コイルスプリングの表面への印加は、液体脱臭剤の前記コイルスプリングの表面への塗布である、請求項５記載のマットレス。
【請求項７】
前記脱臭剤の前記コイルスプリングの表面への印加は、固体脱臭剤の前記コイルスプリングの表面への固着である、請求項５記載のマットレス。
【請求項８】
前記固体脱臭剤は、粉体状の脱臭剤である、請求項５記載のマットレス。
【発明の詳細な説明】
【技術分野】
【０００１】
本発明は、マットレスに関し、特にコイルスプリングマットレスに関する。
【背景技術】
【０００２】
公知のマットレスが、後述の特許文献１に記載されている。このマットレスは、多数のコイルスプリングを連結部材により連結してスプリングユニットを構成し、該スプリングユニットの全体を外装体によって被覆してなるものである。このマットレスにおいては、炭を収容した脱臭体がスプリングユニットの空間部に配置されており、脱臭機能が付与されている。
【特許文献１】特開２００１−３２１２４６号公報
【発明の開示】
【発明が解決しようとする課題】
【０００３】
上述のマットレスにおいては、炭を収容した脱臭体をスプリングユニットの空間部に配置することは手作業で行わざるを得ず、量産に適さない。
【０００４】
よって、本発明は上記の問題点に鑑みてなされたものであり、量産に適する脱臭機能付きのマットレスを提供することを課題とする。
【課題を解決するための手段】
【０００５】
上記課題を解決するために、本発明にて講じた第１の技術的手段は、請求項１に記載の様に、多数のコイルスプリングを連結してスプリングユニットを構成し、該スプリングユニットを外装体により被覆してなるマットレスにおいて、前記コイルスプリングの表面に脱臭剤が印加される構成としたことである。
【０００６】
上記課題を解決するために、本発明にて講じた第２の技術的手段は、請求項２に記載の様に、多数のコイルスプリングを連結してスプリングユニットを構成し、該スプリングユニットを外装体により被覆してなるマットレスにおいて、前記コイルスプリングを封入するためのポケットに脱臭剤が印加される構成としたことである。
【発明の効果】
【０００７】
本発明によれば、マットレスが完全に構成される前の段階で、コイルスプリング及びポケットに脱臭剤を予め印加できる。例えば、コイルスプリング及びポケットに液体脱臭剤を塗布するにあたっては、液体脱臭剤を収容した容器に多数のコイルスプリング及びポケットを浸す方法を適用できる。この方法により、多数のコイルスプリング及びポケットに液体脱臭剤が一度に効率的に塗布される。このように、本発明によれば、量産に適する脱臭機能付きのマットレスを提供できる。
【発明を実施するための最良の形態】
【０００８】
以下、本発明を実施するための最良の形態を、図面を基に説明する。
【０００９】
図１は、本発明に係るマットレス１の斜視図である。マットレス１は、スプリングユニット２の全体をウレタンフォームなどの外装体３によって被覆することにより構成されている。前記スプリングユニット２は、上下に同径の円環端面部４ａ，４ｂが形成された鼓型形状のコイルスプリング５を平面矩形状に多数配列して構成されており、その長手方向に並ぶ各コイルスプリング５の上下の円環端面部４ａ，４ｂがそれぞれ連結部材としての枠線６ａ，６ｂによって接触状に連結されている。また、周縁部にはコイルスプリング５を囲うように鋼線で形成された縁枠７ａ，７ｂが設けられており、これらの縁枠７ａ，７ｂと周縁部に位置する各コイルスプリング５の上下の円環端面部４ａ，４ａがクリップ８によって結合されている。
【００１０】
本発明のマットレス１においては、図２に示す様に、コイルスプリング５の表面に液体脱臭剤９が塗布される。この場合、例えば、液体脱臭剤を収容した容器にスプリングユニット２全体を浸す方法を適用することで、多数のコイルスプリング５の表面に液体脱臭剤を一度に効率的に塗布できる。
【００１１】
また、図３に示す様に、コイルスプリング５がポケット１０に封入される場合がある。ポケット１０は、不織布等から形成される公知のものである。コイルスプリング５を封入するためのポケット１０がマットレス１に設けられる場合には、このポケット１０に液体脱臭剤９が塗布されても良い。また、ポケット１０に液体脱臭剤９を含浸させても良い。
【００１２】
以上説明した様に、本発明のマットレス１によれば、マットレス１が完全に構成される前の段階で、コイルスプリング５及びポケット１０に液体脱臭剤９を予め塗布できる。例えば、コイルスプリング５及びポケット１０に液体脱臭剤９を塗布するにあたっては、液体脱臭剤を収容した容器に多数のコイルスプリング５及びポケット１０を浸す方法を適用できる。この方法により、多数のコイルスプリング５及びポケット１０に液体脱臭剤９が一度に効率的に塗布される。このように、本発明によれば、量産に適する脱臭機能付きのマットレス１を提供できる。
【００１３】
尚、液体脱臭剤の代わりに固体脱臭剤（特に粉体状の固体脱臭剤）を採用することが出来る。また、脱臭剤を有害物質脱臭剤とするば、同時に、室内の有害化学物質も除去することが出来る。
【図面の簡単な説明】
【００１４】
【図１】本発明に係るマットレス１の斜視図。
【図２】液体脱臭剤９が塗布されたコイルスプリング５を示す図。
【図３】液体脱臭剤９が塗布されたポケット１０を示す図。
【符号の説明】
【００１５】
１  マットレス
２  スプリングユニット
３  外装体
５  コイルスプリング
９  液体脱臭剤
１０  ポケット
【図１】
2007190184.tif 000003
【図２】
2007190184.tif 000004
【図３】
2007190184.tif 000005
(57)【要約】  【課題】  ヘッドボードとフットボードとを連結する一対の連結部材間のピッチ保持と長尺物の収納容易性の双方を両立させる。  【解決手段】  ヘッドボード１４とフットボード１６とを長手方向に延在する一対の平行な連結部材２０で連結してなる基体１２と、長手方向の両側の下部が夫々前記一対の連結部材２０の上部に凹凸嵌合で連結された床板３０とを備えたベッドフレーム１０。【選択図】  図２
2007190187.tif 000002
【特許請求の範囲】
【請求項１】
ヘッドボードとフットボードとを長手方向に延在する一対の平行な連結部材で連結してなる基体と、長手方向の両側の下部が夫々前記一対の連結部材の上部に凹凸嵌合で連結された床板とを備えたベッドフレーム。
【発明の詳細な説明】
【技術分野】
【０００１】
本発明は、ベッドフレームに関する。
【背景技術】
【０００２】
通常、ベッドは、ベッドフレームと、このベッドフレーム上に載置されるマットレスとから構成される。しかして、従来のベッドフレーム、例えば特許文献１に開示のものは、図３に示されるように、ヘッドボード１とフットボード２とを長手方向に延在する一対の平行なＬ型連結部材３・３で連結してなる基体４を備える。そして、図示されない床板の長手方向の一方の側（他方の側）が、一方の連結部材３の水平部３ａ（他方の連結部材３の水平部３ａ）に載置されたとき、ベッドフレームが構成される。このとき、図示されない床板の天部（上面）は、一方の連結部材３の垂直部３ｂ（他方の連結部材３の垂直部３ｂ）の頂点と、略、面一となる。しかして、床板上にマットレス（図示略）が載置されると、ベッドが構成され、使用者の就寝に供されるが、使用者の体重が一対の連結部材３・３に及んだとき、当該力の外方向成分により、一対の連結部材３．３間のピッチが拡がるのを防止するために、一方の連結部材３の水平部３ａの中央部と、他方の連結部材３の水平部３ａの中央部とが、一本の剛性の高い針金５で連結されている。
【特許文献１】米国特許３，９６１，３８１号公報
【発明の開示】
【発明が解決しようとする課題】
【０００３】
上記したベッドフレームにおいては、一方の連結部材３の水平部３ａの中央部と、他方の連結部材３の水平部３ａの中央部とが、一本の剛性の高い針金５で連結されているので、一対の連結部材３．３間のピッチの拡がりが防止され、実用上、秀でたものである。
【０００４】
しかしながら、一方の連結部材３の水平部３ａの中央部と、他方の連結部材３の水平部３ａの中央部とが、一本の剛性の高い針金５で連結されているので、ベッドフレームの内部空間がへのアクセス口が事実上、２分割され、スキーその他の長尺物の収納が出来ない、という不具合があった。
【０００５】
それ故に、本発明は、ヘッドボードとフットボードとを連結する一対の連結部材間のピッチ保持と長尺物の収納容易性の双方を充足可能なベッドフレームを提供することを、技術的課題とするものである。
【課題を解決するための手段】
【０００６】
上記技術的課題を解決するために請求項１記載の発明において講じた技術的手段は、
「ヘッドボードとフットボードとを長手方向に延在する一対の平行な連結部材で連結してなる基体と、長手方向の両側の下部が夫々前記一対の連結部材の上部に凹凸嵌合で連結された床板とを備えたベッドフレーム。」
を構成したことである。
【発明の効果】
【０００７】
請求項１記載の発明によれば、床板の長手方向の一方（他方）の側の下部が、一方（他方）の連結部材の上部に凹凸嵌合で連結されるので、連結部材間のピッチは、この凹凸嵌合で、常時、一定に保持される。しかも、床板を取り外したときには、連結部材を跨ぐ部材は存在しないので、基体の内部空間は全面的に開放され、基体内への長尺物の収納が容易に行うことが出来、実用上、多大な効果を奏する。
【発明を実施するための最良の形態】
【０００８】
本発明の実施形態例を図面に基づいて詳しく説明する。
【０００９】
図１において、ベッドフレーム１０は、基体１２を備える。基体１２は、ヘッドボード１４と、フットボード１６と、長手方向に延在して、ヘッドボード１４とフットボード１６とを連結する一対の平行な連結部材２０・２０とから構成される。
【００１０】
連結部材２０は、本体部２１と支持部２２とから構成される。連結部材２０の本体部２１の長手方向の一端部（他端部）が、図示されない手段（例えばネジ）により、ヘッドボード１４（フットボード１６）に堅牢に固定される。連結部材２０の本体部２１の内面部には、支持部２２が連結される。支持部２２は、本体部２１の内面に固定される垂直部２２ａと、この垂直部２２ａからフレームの内部方向に突出する延在部２２ｂと、この延在部２２ｂの先端部から上側に突出するフック部２２ｃとを備える。支持部２２は、かように構成されることから、支持部２２には、垂直部２２ａとフック部２２ｃとの間に、上方開口の溝２２ｄが画成される。
【００１１】
上記したように、ヘッドボード１４とフットボード１６とを長手方向に延在する一対の平行な連結部材２０・２０で連結してなる基体１０には、長手方向に一対の溝部２２ｄが形成される。しかして、一枚物の平板の床板３０の長手方向の一方の側部（他方の側部）が、一方の連結部材２０の支持部２２（他方の連結部材２０の支持部２２）上に置かれたとき、平板の床板３０の長手方向の一方の側部（他方の側部）の下面から突起する突起部３２が、一方の連結部材２０の溝部２２ｄ（他方の連結部材２０の溝部２２ｄ）内に凹凸嵌合される。この両方の凹凸嵌合は、一枚物の平板の床板３０をして、一対の平行な連結部材２０・２０を、両者間のピッチを永続的に不変に、維持せしめることになる。また、床板３０を取り外せば、一対の平行な連結部材２０・２０を跨ぐ部材はないので、基体１０の内部空間は全面的に開放され、長尺物の収納が可能となる。
【００１２】
図示の構造においては、床板３０は、一方の連結部材２０の支持部２２（他方の連結部材２０の支持部２２）の頂面と面一となり、この上に、図示されないマットレスが載置されることになる。
【００１３】
尚、床板３０の厚みを薄くして、床板３０と一方の連結部材２０の支持部２２（他方の連結部材２０の支持部２２）の頂面との間に段差を設ければ、床板３０の上側と、一方の連結部材２０の支持部２２と、他方の連結部材２０の支持部２２と、ヘッドボード１４と、フットボード１６とにより囲まれる上方開放の凹空間が画成される。この凹空間に図示されない畳を嵌着すれば、畳ベッド用のフレームを構成することが出来る。
【００１４】
以上本発明の実施例を詳述したがこれはあくまで一例示であり、本発明はその主旨を逸脱しない範囲において種々変更を加えた形態で構成可能である。
【図面の簡単な説明】
【００１５】
【図１】本発明の実施形態例に係るベッドフレームの分解斜視図。
【図２】図１に示されるベッドフレームにおける、ヘッドボードとフットボードとを連結する連結部材と床板との嵌合状態を示す図。
【図３】従来のベッドフレームの斜視図。
【符号の説明】
【００１６】
１０：ベッドフレーム
１２：基体
１４：ヘッドボード
１６：フットボード
２０：連結部材
３０：床板
【図１】
2007190187.tif 000003
【図２】
2007190187.tif 000004
【図３】
2007190187.tif 000005
(57)【要約】  【課題】  使い勝手の良いオーバーベッドテーブルを備えたベッドシステムを提供すること。  【解決手段】  ベッド本体２０と、可動式の第１テーブル３０及び内部に前記第１テーブル３０を入れ子式に収納する可動式の第２テーブル４０から構成されるネストテーブルとを備え、前記ネストテーブルを構成する前記第１テーブル３０及び前記第２テーブル４０の各々が相互独立して、前記ベッド本体２０の任意の部位を跨ぐようにしてなる、ベッドシステム。【選択図】  図１
2007190188.tif 000002
【特許請求の範囲】
【請求項１】
ベッド本体と、可動式の第１テーブル及び内部に前記第１テーブルを入れ子式に収納する可動式の第２テーブルから構成されるネストテーブルとを備え、前記ネストテーブルを構成する前記第１テーブル及び前記第２テーブルの各々が相互独立して、前記ベッド本体の任意の部位を跨ぐようにしてなる、ベッドシステム。
【発明の詳細な説明】
【技術分野】
【０００１】
本発明は、ベッドシステムに関し、特にオーバーベッドテーブルを備えたベッドシステムに関する。
【背景技術】
【０００２】
ベッド本体の上に着座した人が容易に飲食、読書、筆記その他を行えるように、従来から、ベッド本体を跨ぐように配置されるオーバーベッドテーブルを備えたベッドシステムが提供されている。その一例が、特許文献１に開示されている。
【０００３】
しかして、この従来のベッドシステムにおいては、図４に示すように、天板２ａと左右柱部２ｂ，２ｂとを有する門型のオーバーベッドテーブル２を備え、オーバーベッドテーブル２が、天板２ａを鉛直状に垂下させてベッド本体１の後縁部９に収納される収納状態と、天板２ａを水平状に展開させると共に左右柱部２ｂ，２ｂをベッド本体１の左右側縁に付設のレール４に沿って前方へ走行させて所定の位置に設置される使用状態と、に切り替え可能となるように構成されている。  
【特許文献１】特開２００３−２５９９４２号公報
【発明の開示】
【発明が解決しようとする課題】
【０００４】
上記したベッドシステムにおいては、オーバーベッドテーブルは、不使用時にはベッド本体１の後縁部１１に収納されるので、オーバーベッドテーブル２の不使用時の保管場所が不要となり、実用上、秀でたものであることは、疑いの余地も無い。しかしながら、オーバーベッドテーブル２の高さが一定であるので、使用者によっては使い勝手が良いとは言えない場合もある。
【０００５】
それ故に、本発明は、使い勝手の良いオーバーベッドテーブルを備えたベッドシステムを提供することを、技術的課題とするものである。
【課題を解決するための手段】
【０００６】
上記技術的課題を解決するために請求項１記載の発明において講じた技術的手段は、
「ベッド本体と、可動式の第１テーブル及び内部に前記第１テーブルを入れ子式に収納する可動式の第２テーブルから構成されるネストテーブルとを備え、前記ネストテーブルを構成する前記第１テーブル及び前記第２テーブルの各々が相互独立して、前記ベッド本体の任意の部位を跨ぐようにしてなる、ベッドシステム。」
を構成したことである。
【発明の効果】
【０００７】
請求項１記載の発明によれば、高さが異なる第１テーブル及び第２テーブルの各々が相互独立して、ベッド本体の任意の部位を跨ぐようにしたので、第１オーバーベッドテーブル及び第２オーバーベッドテーブルの何れかを使用者の体格に応じて選択し、選択されたオーバーベッドテーブルをベッド本体上に跨らせることにより、使い勝手の良いベッドシステムがもたらされ、実用上、多大な効果を奏する。
【発明を実施するための最良の形態】
【０００８】
本発明の実施形態例を図面に基づいて詳しく説明する。
【０００９】
図１において、ベッドシステム１０は、ベッド本体２０を備える。しかして、ベッド本体２０は、４本の脚部２１（２本のみ図示）を介して床面に設置されるフレーム２２と、このフレーム２２上に載置されたマットレス２３と、フレーム２２の長手方向の一方の端部に立設されたヘッドボード２４とから構成される。
【００１０】
ベッド本体２０の長手方向の一方端部側には、第１オーバーベッドテーブル３０と、第２オーバーベッドテーブル４０とが重畳状態で配設されている。第１オーバーベッドテーブル３０は、ヘッドボード２４を跨った状態で、第２オーバーベッドテーブル４０の内部に位置している。第１オーバーベッドテーブル３０の高さは、第２オーバーベッドテーブル４０の高さよりも低く設定されている。換言すれば、第１オーバーヘッドテーブル３０及び内部に第１テーブル３０を入れ子式に収納する第２オーバーヘッドテーブル４０は、ネストテーブルを構成する。
【００１１】
図２に示されるように、図１に示す状態から、第２オーバーベッドテーブル４０をそのままにしておいて、第１オーバーベッドテーブル３０を引き出して、ベッド本体２０の長手方向に移動させて、ベッド本体２０のフット側に位置させることが出来る。この場合は、低めのフットレストとして使用したり、低めのテーブルとして使用したりできる。第２オーバーベッドテーブル４０は、意匠的には、高めの付加的ヘッドボードとしても機能する。
【００１２】
また、図３に示されるように、図１に示す状態から、第１オーバーベッドテーブル３０をそのままにしておいて、第２オーバーベッドテーブル４０を引き出して、ベッド本体２０の長手方向に移動させて、ベッド本体２０のフット側に位置させることが出来る。この場合は、高めのフットレストとして使用したり、高めのテーブルとして使用したりできる。第２オーバーベッドテーブル４０は、意匠的には、低めの付加的ヘッドボードとしても機能する。
【００１３】
尚、第１オーバーベッドテーブル３０及び第２オーバーベッドテーブル４０は、図示されないキャスターにより移動可能とされており、また、第１オーバーベッドテーブル３０（第２オーバーベッドテーブル４０）の天板には、盆の機能を果たす金属板３１（４１）が固定されている。
【００１４】
以上本発明の実施例を詳述したがこれはあくまで一例示であり、本発明はその主旨を逸脱しない範囲において種々変更を加えた形態で構成可能である。
【図面の簡単な説明】
【００１５】
【図１】本発明の実施形態例に係るベッドシステムの、第１及び第２オーバーベッドテーブルが重畳状態にあるときの、斜視図。
【図２】本発明の実施形態例に係るベッドシステムにおいて、図１の状態から、第１オーバーベッドテーブルが引き出されてベッド本体を跨っている状態に変移したときの、斜視図。
【図３】本発明の実施形態例に係るベッドシステムにおいて、図１の状態から、第２オーバーベッドテーブルが引き出されてベッド本体を跨っている状態に変移したときの、斜視図。
【図４】従来のベッドシステムの斜視図。
【符号の説明】
【００１６】
２０：ベッド本体
３０：第１オーバーベッドテーブル
４０：第２オーバーベッドテーブル
【図１】
2007190188.tif 000003
【図２】
2007190188.tif 000004
【図３】
2007190188.tif 000005
【図４】
2007190188.tif 000006
(57)【要約】【課題】鍋料理を楽しむ時、熱くなった鍋の蓋の置き所に困ったが、土鍋のような重くて大きな蓋も小さな蓋も自在にかけられる折り畳み式フリーサイズ鍋蓋スタンドを提供する。【発明の効果】２枚の鋼板１を丁番２でつなぎ、丁番にはストッパー３を付けて逆に開けばＬ字型に固定できるようにする。銅板のそれぞれにＶ字型の開き・深さの違う「くびれ」４、５を設ける。使用するには閉じた２枚の鋼板を逆に開き、Ｌ字型に固定し、Ｖ字型「くびれ」に鍋蓋の摘みを掛ける。さらに使用しない時はコンパクトに折り畳んで収納でき便利である。2007190341.tif 000003
【特許請求の範囲】
【請求項１】
丁番付きの２枚の鋼板に大小のＶ字型「くびれ」が付いた折り畳み式フリーサイズ鍋蓋スタンド
【発明の詳細な説明】
【発明の詳細な説明】
【発明の属する技術的分野】
【０００１】本発明は、ストッパー機能がある丁番付きの２枚の鋼板に大小のＶ字型「くびれ」を設け、使用する時は丁番を開いて、その「くびれ」に鍋蓋を掛けることができるようにした。「くびれ」はＶ字型になっており、大小あるのでほとんどの鍋蓋が掛けられる。しかも使用しないときは折り畳んでコンパクトに収納できる。
【背景技術】
【０００２】従来は、折り畳めて、しかも重い土鍋の蓋も掛けられるこのような機能を持つ器具はなかった。【０００３】
【特許文献１】特許公開２００２−２４８０５８  特許公開平０７−２５５５９８
【発明が解決しようとする課題】
【０００４】台所での調理をはじめ、特に卓上での鍋物を家族で囲む時など、最初は使用する熱くなった鍋の蓋の置き場所に困るものである。本発明はこのような課題を解決するため考案された。
【課題を解決するための手段】
【０００５】２枚の鋼板を丁番でつなぎ、それぞれに大小のＶ字型「くびれ」を設けた。丁番にはストッパーが付けであるので使用時は、収納時と逆に開けばＬ字型に固定できるため、「くびれ」に鍋蓋の摘みを掛けることができる。「くびれ」は大小設けてあるので、鍋蓋や摘みの大きさに合わせて使用することができる。
【発明を実施するための最良の形態】
【０００６】以下、本発明の実施の形態について説明する。
（イ）、２枚の鋼板を丁番でつなぎ、丁番にはストッパーを付けて逆に開けばＬ字型に固定できるようにする。
（ロ）、鋼板のそれぞれにＶ字型の開き・深さの違う「くびれ」を設ける。
（ハ）、使用するには閉じた２枚の鋼板を逆に開き、Ｌ字型に固定し、Ｖ字型「くびれ」に鍋蓋の摘みを掛ける。
【発明の効果】
【０００７】鍋料理を楽しむ時、熱くなった鍋の蓋の置き所に困ったがこの器具があればＯＫ。開き・深さの違うＶ字型の「くびれ」が設けてあるため土鍋のような重くて大きな蓋も小さな蓋も自在にかけられる。しかも使用しない時はコンパクトに折り畳んで収納でき便利である。
2007190341.tif 000002
【手続補正書】
【提出日】平成18年3月28日(2006.3.28)
【手続補正３】
【補正対象書類名】明細書
【補正対象項目名】全文
【補正方法】変更
【補正の内容】
【発明の詳細な説明】
【技術分野】
【０００１】本発明は、ストッパー機能がある丁番付きの２枚の鋼板に大小のＶ字型「くびれ」を設け、使用する時は丁番を開いて、その「くびれ」に鍋蓋を掛けることができるようにした。「くびれ」はＶ字型になっており、大小あるのでほとんどの鍋蓋が掛けられる。しかも使用しないときは折り畳んでコンパクトに収納できる。
【背景技術】
【０００２】従来は、折り畳めて、しかも重い土鍋の蓋も掛けられるこのような機能を持つ器具は、なかった。【０００３】
【特許文献１】  特許公開２００２−２４８０５８    特許公開平０７−２５５５９８
【発明の開示】
【発明が解決しようとする課題】
【０００４】台所での調理をはじめ、特に卓上での鍋物を家族で囲む時など、最初は使用する熱くなった鍋の蓋の置き場所に困るものである。本発明はこのような課題を解決するために、考案された。
【課題を解決するための手段】
【０００５】２枚の鋼板を丁番でつなぎ、それぞれに大小のＶ字型「くびれ」を設けた。丁番にはストッパーが付けてあるので使用時は、収納時と逆に開けばＬ字型に固定できるため、「くびれ」に鍋蓋の摘みを掛けることができる。「くびれ」は大小設けてあるので、鍋蓋や摘みの大きさに合わせて使用することができる。
【発明の効果】
【０００６】鍋料理を楽しむ時、熱くなった鍋の蓋の置き所に困ったがこの器具があればＯＫ。開き・深さの違うＶ字型の「くびれ」が設けてあるため土鍋のような重くて大きな蓋も小さな蓋も自在にかけられる。しかも使用しない時はコンパクトに折り畳んで収納でき便利である。
【発明を実施するための最良の形態】
【０００７】以下、本発明の実施の形態について説明する。
（イ）、２枚の鋼板を丁番でつなぎ、丁番にはストッパーを付けて逆に開けばＬ字型に固定できるようにする。
（ロ）、鋼板のそれぞれにＶ字型の開き・深さの違う「くびれ」を設ける。
（ハ）、使用するには閉じた２枚の鋼板を逆に開き、Ｌ字型に固定し、Ｖ字型「くびれ」に鍋蓋の摘みを掛ける。
【実施例１】
【０００８】２枚の鋼板を丁番でつなぎ、ストッパーを付けて逆に開けばＬ字型に固定できるようにする。鍋蓋や摘みの大きさに合わせて使用することができるよう鋼板のそれぞれにＶ字型の大小の「くびれ」を設ける。
【図面の簡単な説明】
【０００９】
【図１】本発明の形態図である。
【図２】本発明の使用図である。
【図３】本発明の収納図である。
【符号の説明】
【００１０】１鋼板
２丁番
３ストッパー
４くびれ大
５くびれ小
６鍋蓋
７鍋蓋の摘み
【手続補正４】
【補正対象書類名】図面
【補正対象項目名】全図
【補正方法】追加
【補正の内容】
【図１】
2007190341.tif 000004
【図２】
2007190341.tif 000005
【図３】
2007190341.tif 000006
(57)【要約】【課題】所有者の私物を挿入、封入できるおもちゃを提供する。【解決手段】おもちゃの中に、一定の空間と封入機能を持たせることを特徴とする。【選択図】図２
2007190345.tif 000002
【特許請求の範囲】
【請求項１】
空洞入り玩具（おもちゃ）
【発明の詳細な説明】
【技術分野】
【０００１】  この発明は、玩具（おもちゃ）に所有者の私物を挿入できる空洞と封入機能を持ったものである。
【背景技術】
【０００２】  ▲１▼おもちゃの中でも特に人目につくことが好ましいもの（特に人形やぬいぐるみ）については、所有者の身近なところにあるが、実用性に乏しい。
▲２▼人間が普段の生活の中で、絶えず持ち歩くことはできないが、いざという非常時に身近に置いて置くことが必要なもの（非常持出袋や思い出の品、金品類）がある。けれども、それをいざ持ち出すときに片付け場所が遠かったり忘れてしまっていたりすることが原因で、すぐに持ち出すことができない。
【発明の開示】
【発明が解決しようとする課題】
【０００３】  本発明者は、▲１▼▲２▼両方の欠点をなくして、空洞入りおよび封入機能をもったおもちゃを開発するとにより、非常時の迅速な行動と重要物紛失の可能性低下を実現させる。
【課題を解決するための手段】
【０００４】  その結果、おもちゃの中に空洞と封入機能を作ることで発明を完成させることができた。
【発明の効果】
【０００５】  この発明により、単なる既存のおもちゃが非常に実用性の高いものになった。実用性を具体的にあげると、非常時の持ち出し用、幼少期のみの使用目的によるおもちゃゴミの減少、新たなインテリア、おもちゃが持つ癒し効果、かばんの役割を果たすおもちゃ、年齢を問わず受け取って使用できるおもちゃなどがあげられる。
【発明を実施するための最良の形態】
【０００６】  既存のおもちゃの中に、一定の空間を有し、それを封入できる機能をあわせ持ったもの。単なるポケットや、形の決まったものしか入らない空間にとどまらず、伸縮性のある素材を使う場合は外装の大きさを超えてしまうものも含める。なお、おもちゃの大きさは問わない。
【図面の簡単な説明】
【０００７】
【図１】  本発明のおもちゃ（例、ぬいぐるみ）を示した正面図である。
【図２】  本発明のおもちゃ（例、ぬいぐるみ）を示した断面図である。
【符号の説明】
【０００８】  １、私物を挿入する一定の空間
２、封入機能
【図１】
2007190345.tif 000003
【図２】
2007190345.tif 000004
(57)【要約】      （修正有）【課題】ハート型３次元立体形状骨盤及び股関節矯正具であって、矯正具の開口部を中心に腰を掛けることで年齢と共に横幅の広くなった骨盤と開いた股関節を内側に誘導し骨盤と股関節を矯正することができる矯正具を提供する。【解決手段】ハート型３次元立体形状骨盤である矯正具１１は、すり鉢形状に成形された充填材１５，１６，１７を有し、尾骨部分１８を支持する尾骨支持面、右坐骨を支持する右坐骨支持面、左臀部及び大腿部支持面、右臀部及び大腿部支持面および右坐骨支持面等を備えており、矯正具１１は充填材１５，１６，１７の充填率を３０〜９５％の範囲で適宜充填し充填材を移動させることで形状を自由に変化させ、さらに充填材の素材変更で表面硬度を変化させることが可能である。【選択図】図１
2007190342.tif 000002
【特許請求の範囲】
【請求項１】
ハート型３次元立体形状骨盤及び股関節矯正具であって、矯正具の開口部を中心に腰を掛けることで年齢と共に横幅の広くなった骨盤と開いた股関節を矯正する。矯正具は外縁を高く内縁を低くすることで臀部から大腿部を内側に誘導し骨盤と股関節を矯正する。矯正具は尾骨を中心に左右坐骨で３点支持し着座位を安定させ矯正力を確保する。また矯正具は、充填材の充填率を３０〜９５％の範囲で適宜増減することで、座面の３次元形状を変化させることができる、これにより体形や症状に柔軟に対応することができる骨盤及び股関節矯正具である。
【請求項２】
矯正具は、カバー、内袋、充填材で構成される。カバー及び内袋は天然繊維、合成繊維、皮革、合成樹脂などで製作する。充填材はポリスチレン等熱可塑性樹脂、ポリウレタン等熱硬化性樹脂、シリコーンゴム、合成ゴム、天然ゴム、陶磁器、ガラス、石材、金属、木材等植物、活性炭等の粉体、粒体、中空体、発泡体などの素材単体又は各素材を配合し袋に充填して製作する。
【発明の詳細な説明】
【技術分野】
【０００１】本発明は、臀部及び大腿部を連続支持する、ハート型３次元立体形状骨盤及び股関節矯正具に関する。
【背景技術】
【０００２】従来、骨盤及び股関節矯正具は、臀部及び大腿部を連続支持するものではなかった。（例えば、特許文献１参照）【０００３】従来、骨盤矯正具は、短時間使用して効果を出すこと狙い、応力が集中し快適に使用出来るものではなかった。（例えば、特許文献２参照）【０００４】従来、着用型骨盤矯正具は、血行不良や関節可動域制限など、骨盤矯正と無関係な部分に負担のかかるものであった。（例えば、特許文献３参照）【０００５】なお、本願発明に関する公知技術として次の特許文献１、特許文献２、特許文献３を挙げることができる。
【特許文献１】特許公開平８−１０７９０８公報（４頁、図１）
【特許文献２】特許公開２００５−１０３２１５公報（４頁、図４）
【特許文献３】特許公開平９−５９８０８公報（４頁、図１）
【発明の開示】
【発明が解決しようとする課題】
【０００６】上述の如く、従来技術に関わる骨盤及び股関節矯正具は、多様な異なる体型に対応できるものでは無かった。また矯正具による締め付けで血行不良や関節可動域制限さらに矯正具との点や線接触による応力集中で不快感や痛みの生じずるものであった。
【課題を解決するための手段】
【０００７】本発明は、上記問題点を解決することを目的とし、ハート型３次元立体形状骨盤及び股関節矯正具の外縁を高くし内縁を低くすることで矯正具がすり鉢形状を形成し開口部を中心に着座することで、臀部及び大腿部を包み込み年齢と共に横幅の広くなった骨盤と開いた股関節を内側に誘導し矯正する。矯正具は充填材の充填率を３０〜９５％の範囲で適宜増減することで形状を自由に変化させることがでる、また充填材の選定により素材の表面硬度を変化させ硬質から軟質まで自由に変化させることができる。これらにより体形や症状に柔軟に対応し血行不良や不快感、痛みの発生などを回避し骨盤及び股関節を矯正することを特徴とする。
【発明の効果】
【０００８】以上説明したように本発明によれば、開口したすり鉢状の矯正具に着座することで、簡単に臀部及び大腿部が内側に誘導され横幅の広くなった骨盤と開いた股関節が矯正できる。矯正具は尾骨と左右坐骨が３点支持されることで着座位の安定性が向上する。矯正具は、充填材の移動及び増減で形状を変化させ、この３次元立体形状が応力集中を防ぐ、さらに充填素材の変更や配合で表面硬度を変化させることができる。これらにより様々な体形や症状に柔軟に対応し、安全で快適な骨盤及び股関節矯正に極めて有効である。
【発明を実施するための最良の形態】
【０００９】以下、本発明の実施の形態を図面に基づき詳細に説明する。【００１０】図１は本発明の実施の形態に係り、ハート型３次元立体形状骨盤及び股関節矯正具の概観図及び断面図である。図２は本発明の着座位背面の図である。図３は本発明の着座位側面の図である。【００１１】図１に示すように、本矯正具１１は中央のハート形開口部を中心に着座して使用する。【００１２】図１に示すように、本矯正具は１１の充填材を１５．１６．１７のすり鉢形状に成形し着座することで臀部及び大腿部が内側に誘導され横幅の広くなった骨盤と開いた股関節が矯正される。【００１３】図１の本矯正具１５、１６、１７の着座面形状は充填材の移動や増減で形状を自由に変化させることができる。これにより様々な体形や症状に対応し、さらにこの立体形状は集中荷重を防ぎ、血行不良や不快感、痛みの発生などを回避する。【００１４】図１〜３に示すように、本矯正具は尾骨部分１８、２０、２２と左坐骨１９、右坐骨２１、２３の３点が支持されることで座位の安定性が向上し安全で快適な骨盤及び股関節矯正に極めて有効である。【００１５】図１、３に示すように、本矯正具は大腿部１７、１９、２１、２４により大腿部が内側に誘導され安定し安全で快適な股関節矯正に極めて有効である。
【産業上の利用可能性】
【００１６】本発明は、骨盤及び股関節矯正具として有用な成形品を設計、製造、販売する産業分野で利用することができる。
【図面の簡単な説明】
【００１７】
【図１】本発明のハート型３次元立体形状骨盤及び股関節矯正具の概観図及び断面図である。
【図２】本発明の矯正具を座位で使用し後方から見た外観図である。
【図３】本発明の矯正具を座位で使用し右側面から見た外観図である。
【符号の説明】
【００１８】１１  矯正具を上部から見た図
１２  矯正具の中心線Ａ
１３  臀部及び坐骨支持面の断面線Ｂ
１４  大腿部支持面の断面線Ｃ
１５  矯正具の中心線Ａの断面図
１６  臀部及び坐骨支持面の断面線Ｂの断面図
１７  大腿部支持面の断面線Ｃの断面図
１８  尾骨支持面
１９  左臀部及び大腿部支持面
２０  尾骨支持面
２１  右臀部及び大腿部支持面
２２  尾骨支持面
２３  右坐骨支持面
２４  右大腿部支持面
【図１】
2007190342.tif 000003
【図２】
2007190342.tif 000004
【図３】
2007190342.tif 000005